【手続補正書】
【提出日】平成20年1月22日(2008.1.22)
【手続補正１】
【補正対象書類名】明細書
【補正対象項目名】特許請求の範囲
【補正方法】変更
【補正の内容】
【特許請求の範囲】
【請求項１】
マルチキャリア変調された信号群（シンボル群）からある信号群を分離する信号成分分離装置であって、
入力信号群をＮ／２(m+1) シンボル遅延するシンボル遅延手段と、
入力信号群を０Ｈｚを基準として−π（ｋ／２m ）ラジアン位相シフトする位相オフセット調整手段と、
上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、
上記シンボル遅延手段の出力信号から上記位相オフセット調整手段の出力信号を減算して上記信号選択出力手段に入力された多重化信号のうち周波数軸上交互に位置する他方のシンボル列を算出する減算手段と
からなる二分岐回路が二分岐方式で段階的かつ階層的に接続されている、信号成分分離装置であって、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
信号成分分離装置。
【請求項２】
複数チャネルのサブキャリアが周期的に配置されているマルチキャリア変調による多重通信に用いる受信装置であって、
信号群を受信する受信手段と、
入力した信号群をＮ／２(m+1) シンボル遅延するシンボル遅延手段と、入力した信号群を−π（ｋ／２m ）ラジアン位相シフトする位相オフセット調整手段と、上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、上記シンボル遅延手段の出力信号から上記位相オフセット調整手段の出力信号を減算して上記信号選択出力手段に入力された多重化信号のうち周波数軸上交互に位置する他方のシンボル列を算出する減算手段と、からなる二分岐回路が二分岐方式で段階的かつ階層的に接続されている、信号成分分離装置と、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
上記信号成分分離装置で分離した信号群について直交変換を行う直交変換手段と、
上記直交変換した情報を復号する復号手段と
を具備する受信装置。
【請求項３】
複数チャネルのサブキャリアが周期的に配置されているマルチキャリア変調による多重通信に用いる、送信装置と受信装置とを有する通信装置であって、
上記送信装置は、
複数チャネルの情報を独立に符号化する符号化手段と、
上記符号化した情報をそれぞれ所定の変調方式に基づいて変調して信号点配置を行う信号点配置手段と、
上記複数の信号点配置した信号を時間周期的に多重化する信号多重化手段と、
上記多重化した信号を逆直交変換する逆直交変換手段と、
上記直交変換した情報を送出する送信手段と、
を有し、
上記受信装置は、
上記送出された信号群を受信する受信手段と、
上記受信した信号群を選択分離する信号成分分離手段と、
上記選択分離された信号を直交変換する直交変換手段と、
上記直交変換した情報を復号する復号手段と
を有し、
上記信号成分分離手段は、
入力信号群をＮ／２(m+1) 遅延するシンボル遅延手段と、
入力信号群を−π（ｋ／２m ）ラジアン位相シフトする位相オフセット調整手段と、
上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、
上記シンボル遅延手段の出力信号から上記位相オフセット調整手段の出力信号を減算して上記信号選択出力手段に入力された多重化信号のうち周波数軸上交互に位置する他方のシンボル列を算出する減算手段と
からなる二分岐回路が二分岐方式で段階的かつ階層的に接続されて構成されている、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
通信装置。
【請求項４】
上記送信装置における上記信号多重化手段は、上記複数の信号点配置した信号を所定のサブキャリアでチャネルごと周波数をずらして多重化する
請求項３記載の通信装置。
【請求項５】
上記送信装置における上記信号点配置手段における変調方式は直交周波数多重化方式（ＯＦＤＭ方式）を用いる変調方式である、
請求項３記載の通信装置。
【請求項６】
上記送信装置における上記逆直交変換処理手段は逆フーリエ変換処理を行い、
上記受信機における上記直交変換処理手段はフーリエ変換処理を行う、
請求項３記載の通信装置。
【請求項７】
複数チャネルのサブキャリアが周期的に配置されているマルチキャリア変調による多重通信に用いる受信装置であって、
信号群を受信する受信手段と、
入力信号群をＮ／２(m+1) 遅延するシンボル遅延手段と、入力信号群を−π（ｋ／２m ）ラジアン位相シフトする位相オフセット調整手段と、上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、上記シンボル遅延手段の出力信号から上記位相オフセット調整手段の出力信号を減算して上記信号選択出力手段に入力された多重化信号のうち周波数軸上交互に位置する他方のシンボル列を算出する減算手段と、からなる二分岐回路が二分岐方式で段階的かつ階層的に接続されている信号成分分離装置と、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
上記信号成分分離装置で分離したシンボル列のうち、所定のサブキャリアのシンボル群を１系列または複数系列選択して出力する信号選択手段と、
上記信号選択手段で選択出力した１系列または複数系列のシンボル群について周波数オフセット補償する周波数オフセット補償手段と、
上記周波数オフセット補償手段のそれぞれの出力信号について直交変換を行う２つの直交変換手段と、
上記直交変換した信号を復号する復号手段と
を具備する受信装置。
【請求項８】
上記周波数オフセット補償手段は、
上記周波数オフセット補償のために複素正弦波信号を出力する周波数オフセット補償信号発生手段と、
上記信号群と、上記周波数オフセット補償信号発生手段から出力される複素正弦波信号とを乗算する乗算手段と、
該乗算手段における乗算結果のシンボルを周波数軸に沿って並べ替えるシンボル並べ替え手段と
を有する、
請求項７記載の受信装置。
【請求項９】
複数チャネルのサブキャリアが周期的に配置されているマルチキャリア変調による多重通信に用いる、送信装置と受信装置とを有する通信装置であって、
上記送信装置は、
複数チャネルの情報を独立に符号化する符号化手段と、
上記符号化した情報をそれぞれ所定の変調方式に基づいて変調して信号点配置を行う信号点配置手段と、
上記複数の信号点配置した信号を時間周期的に多重化する信号多重化手段と、
上記多重化した信号を逆直交変換する逆直交変換手段と、
上記直交変換した信号群を送出する送信手段と、
を有し、
上記受信装置は、
上記送出された信号群を受信する受信手段と、
上記受信した信号群を分離する信号成分分離装置であって、
入力信号群をＮ／２(m+1) 遅延するシンボル遅延手段と、
入力信号群を−π（ｋ／２m ）ラジアン位相シフトする位相オフセット調整手段と、
上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、
上記シンボル遅延手段の出力信号から上記位相オフセット調整手段の出力信号を減算して上記信号選択出力手段に入力された多重化信号のうち周波数軸上交互に位置する他方のシンボル列を算出する減算手段と、
からなる二分岐回路が二分岐方式で段階的かつ階層的に接続されている信号成分分離装置と、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット                    を持つ信号群が入力されていることを示すパラメータであ                    る、
上記信号成分分離装置で分離したシンボル列のうち、所定のサブキャリアのシンボル群を１系列または複数系列選択して出力する信号選択手段と、
上記信号選択手段で選択出力した１系列または複数系列のシンボル群について周波数オフセット補償する周波数オフセット補償手段と、
上記周波数オフセット補償手段のそれぞれの出力信号について直交変換を行う２つの直交変換手段と、
上記直交変換した信号を復号する復号手段と
を具備する
通信装置。
【請求項１０】
上記周波数オフセット補償手段は、
上記周波数オフセット補償のために複素正弦波信号を出力する周波数オフセット補償信号発生手段と、
上記信号群と、上記周波数オフセット補償信号発生手段から出力される複素正弦波信号とを乗算する乗算手段と、
該乗算手段における乗算結果のシンボルを周波数軸に沿って並べ替えるシンボル並べ替え手段と
を有する、
請求項９記載の通信装置。
【請求項１１】
複数チャネルのサブキャリアが周期的に配置されているマルチキャリア変調による多重通信に用いる受信装置であって、
信号群を受信する受信手段と、
入力信号群をＮ／２(m+1) 遅延するシンボル遅延手段と、入力信号群を−π（ｋ／２m ）ラジアン位相シフトする位相オフセット調整手段と、上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、上記シンボル遅延手段の出力信号から上記位相オフセット調整手段の出力信号を減算して上記信号選択出力手段に入力された多重化信号のうち周波数軸上交互に位置する他方のシンボル列を算出する減算手段と、からなる二分岐回路が二分岐方式で段階的かつ階層的に接続されている信号成分分離装置と、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
上記信号成分分離手段で分離した１系列または複数系列のシンボル群について周波数オフセット補償する周波数オフセット補償手段と、
上記周波数オフセット補償手段のそれぞれの出力信号について直交変換を行う２つの直交変換手段と、
上記直交変換した信号を復号する復号手段と
を具備する受信装置。
【請求項１２】
上記周波数オフセット補償手段は、
上記周波数オフセット補償のために複素正弦波信号を出力する周波数オフセット補償信号発生手段と、
上記信号群と、上記周波数オフセット補償信号発生手段から出力される複素正弦波信号とを乗算する乗算手段と、
該乗算手段における乗算結果のシンボルを周波数軸に沿って並べ替えるシンボル並べ替え手段と
を有する、
請求項１１記載の受信装置。
【請求項１３】
複数チャネルのサブキャリアが周期的に配置されているマルチキャリア変調による多重通信に用いる、送信装置と受信装置とを有する通信装置であって、
上記送信装置は、
複数チャネルの情報を独立に符号化する符号化手段と、
上記符号化した情報をそれぞれ所定の変調方式に基づいて変調して信号点配置を行う信号点配置手段と、
上記複数の信号点配置した信号を時間周期的に多重化する信号多重化手段と、
上記多重化した信号を逆直交変換する逆直交変換手段と、
上記直交変換した信号群を送出する送信手段と、
を有し、
上記受信装置は、
上記送出された信号群を受信する受信手段と、
上記受信した信号群を分離する信号成分分離装置であって、
入力信号群をＮ／２(m+1) 遅延するシンボル遅延手段と、
入力信号群を−π（ｋ／２m ）ラジアン位相シフトする位相オフセット調整手段と、
上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、
上記シンボル遅延手段の出力信号から上記位相オフセット調整手段の出力信号を減算して上記信号選択出力手段に入力された多重化信号のうち周波数軸上交互に位置する他方のシンボル列を算出する減算手段と、
からなる二分岐回路が二分岐方式で段階的かつ階層的に接続されている信号成分分離装置と、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット                    を持つ信号群が入力されていることを示すパラメータであ                    る、
上記信号成分分離装置で分離した１系列または複数系列のシンボル群について周波数オフセット補償する周波数オフセット補償手段と、
上記周波数オフセット補償手段のそれぞれの出力信号について直交変換を行う２つの直交変換手段と、
上記直交変換した信号を復号する復号手段と
を具備する
通信装置。
【請求項１４】
マルチキャリア変調された信号群から特定の信号を抽出するフィルタ装置であって、
入力信号群をＮ／２(m+1) 遅延するシンボル遅延手段と、入力信号群を−π（ｋ／２m ）ラジアン位相シフトする位相オフセット調整手段と、上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、上記シンボル遅延手段の出力信号から上記位相オフセット調整手段の出力信号を減算して上記信号選択出力手段に入力された多重化信号のうち周波数軸上交互に位置する他方のシンボル列を算出する減算手段と、からなる二分岐回路が二分岐方式で段階的かつ階層的に接続されている信号成分分離装置と、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
上記信号成分分離装置で分離したシンボル列のうち、特定のサブキャリアのシンボル群を選択して出力する信号選択手段と、
上記信号選択手段で選択出力したシンボル群について周波数オフセット補償する周波数オフセット補償手段と
を具備するフィルタ装置。
【請求項１５】
複数チャネルのサブキャリアが周期的に配置されているマルチキャリア変調による多重通信に用いる受信装置であって、
マルチキャリア変調された信号群を受信する受信手段と、
上記受信手段で受信したマルチキャリア変調された信号群から特定の信号を抽出するフィルタ装置と、
該フィルタ装置で抽出した信号について直交変換を行う直交変換手段と、
上記直交変換した信号を復号する復号手段と
を具備し、
上記フィルタ装置は、
入力信号群をＮ／２(m+1) 遅延するシンボル遅延手段と、入力信号群を−π（ｋ／２m ）ラジアン位相シフトする位相オフセット調整手段と、上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、上記シンボル遅延手段の出力信号から上記位相オフセット調整手段の出力信号を減算して上記信号選択出力手段に入力された多重化信号のうち周波数軸上交互に位置する他方のシンボル列を算出する減算手段と、からなる二分岐回路が二分岐方式で段階的かつ階層的に接続されている信号成分分離装置と、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
上記信号成分分離装置で分離したシンボル列のうち、特定のサブキャリアのシンボル群を選択して出力する信号選択手段と、
上記信号選択手段で選択出力したシンボル群について周波数オフセット補償する周波数オフセット補償手段と
を具備する
受信装置。
【請求項１６】
マルチキャリア変調された信号群から特定の信号を抽出するフィルタ装置であって、
サブキャリアを選択するサブキャリア選択手段と、
上記選択されたサブキャリアに応じて、入力された信号群から特定の信号群を選択して出力する、少なくとも１段の信号選択手段と、
上記信号選択手段で選択した信号について周波数オフセット補償する周波数オフセット補償手段と
を具備する、フィルタ装置。
【請求項１７】
上記信号選択手段は、
上記選択されたサブキャリアに応じて、入力された信号群を位相シフトする位相オフセット調整手段と、
入力された信号群をＮ／２(m+1) 遅延するシンボル遅延手段と、
上記シンボル遅延手段の出力信号と上記位相オフセット調整手段の出力信号を加算して上記信号選択出力手段に入力された多重化信号のうち周波数軸上交互に位置する一方のシンボル列を算出する加算手段と
を有する、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
請求項１６記載のフィルタ装置。
【請求項１８】
複数チャネルのサブキャリアが周期的に配置されているマルチキャリア変調による多重通信に用いる受信装置であって、
マルチキャリア変調された信号群を受信する受信手段と、
上記受信手段で受信したマルチキャリア変調された信号群から特定の信号を抽出するフィルタ装置と、
該フィルタ装置で抽出した信号について直交変換を行う直交変換手段と、
上記直交変換した信号を復号する復号手段と
を具備し、
上記フィルタ装置は、
サブキャリアを選択するサブキャリア選択手段と、
上記選択されたサブキャリアに応じて、入力された信号群から特定の信号群を選択して出力する、少なくとも１段の信号選択手段と、
上記信号選択手段で選択した信号について周波数オフセット補償する周波数オフセット補償手段と
を具備する、
受信装置。
【請求項１９】
上記信号選択手段は、
上記選択されたサブキャリアに応じて、入力された信号群を位相シフトする位相オフセット調整手段と、
入力された信号群をＮ／２(m+1) 遅延するシンボル遅延手段と、
上記シンボル遅延手段の出力信号と上記位相オフセット調整手段の出力信号を加算して上記信号選択出力手段に入力された多重化信号のうち周波数軸上交互に位置する一方のシンボル列を算出する加算手段と
を有する、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
請求項１８記載の受信装置。
【請求項２０】
マルチキャリア変調された信号群から特定の信号を抽出するフィルタ装置であって、
選択すべきチャネルに応じた複素正弦波信号を出力する通過サブキャリア選択信号出力手段と、
上記通過サブキャリア選択出力手段から出力された複素正弦波信号と、入力信号群との乗算を行う乗算手段と、
上記乗算手段における乗算結果のうち、特定の信号群を選択する少なくとも１段の信号成分分離手段と、
上記信号成分分離装置の出力を周波数軸上に並べ替えるシンボル並べ替え手段と
を具備するフィルタ装置。
【請求項２１】
上記信号成分分離手段は、
入力信号群をＮ／２(m+1) 遅延するシンボル遅延手段と、
上記シンボル遅延手段の出力信号と上記入力信号群とを加算して周波数軸上交互に位置する一方のシンボル列を算出する加算手段と
からなる回路が二分岐方式で段階的かつ階層的に接続されている
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
請求項２０記載のフィルタ装置。
【請求項２２】
複数チャネルのサブキャリアが周期的に配置されているマルチキャリア変調による多重通信に用いる受信装置であって、
マルチキャリア変調された信号群を受信する受信手段と、
上記受信手段で受信したマルチキャリア変調された信号群から特定の信号を抽出するフィルタ装置と、
該フィルタ装置で抽出した信号について直交変換を行う直交変換手段と、
上記直交変換した信号を復号する復号手段と
を具備し、
上記フィルタ装置は、
選択すべきチャネルに応じた複素正弦波信号を出力する通過サブキャリア選択信号出力手段と、
上記通過サブキャリア選択出力手段から出力された複素正弦波信号と、入力信号群との乗算を行う乗算手段と、
上記乗算手段における乗算結果のうち、特定の信号群を選択する少なくとも１段の信号成分分離手段と、
上記信号成分分離装置の出力を周波数軸上に並べ替えるシンボル並べ替え手段と
を有する、
受信装置。
【請求項２３】
上記信号成分分離手段は、
入力信号群をＮ／２(m+1) 遅延するシンボル遅延手段と、
上記シンボル遅延手段の出力信号と上記入力信号群とを加算して周波数軸上交互に位置する一方のシンボル列を算出する加算手段と
からなる回路が二分岐方式で段階的かつ階層的に接続されている
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
請求項２２記載の受信装置。
【請求項２４】
複数チャネルのサブキャリアが周期的に配置されているマルチキャリア変調による多重通信に用いる受信装置であって、
マルチキャリア変調された信号群を受信する受信手段と、
入力信号群をスイッチングするスイッチング手段と、
上記受信手段で受信したマルチキャリア変調された信号群を保持するバッファ手段と、
上記スイッチング手段の後段に接続され、入力された信号群のうち特定の信号群を選択出力するフィルタ装置と、
上記フィルタ装置で抽出した信号について直交変換を行う直交変換手段と、
上記直交変換した信号を復号する復号手段と
を具備し、
上記スイッチング手段は１シンボル分の信号群を上記フィルタ装置に出力し、上記バッファ手段はその間、入力された１シンボル分の信号群を保持し、上記フィルタ装置への信号送出終了後、上記バッファ手段に保持した信号群を上記スイッチング手段を介して上記フィルタ装置に送出し、
上記フィルタ装置は、上記スイッチング手段を介して入力された信号群のうち指定されたサブキャリアのみ選択出力する、
受信装置。
【請求項２５】
上記フィルタ装置は、
入力信号群をＮ／２(m+1) 遅延するシンボル遅延手段と、入力信号群を−π（ｋ／２m ）ラジアン位相シフトする位相オフセット調整手段と、上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、上記シンボル遅延手段の出力信号から上記位相オフセット調整手段の出力信号を減算して上記信号選択出力手段に入力された多重化信号のうち周波数軸上交互に位置する他方のシンボル列を算出する減算手段と、からなる二分岐回路が二分岐方式で段階的かつ階層的に接続されている信号成分分離装置と、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
上記信号成分分離装置で分離したシンボル列のうち、特定のサブキャリアのシンボル群を選択して出力する信号選択手段と、
上記信号選択手段で選択出力したシンボル群について周波数オフセット補償する周波数オフセット補償手段と
を具備する、
請求項２４記載の受信装置。
【請求項２６】
上記フィルタ装置は、
選択すべきチャネルに応じた複素正弦波信号を出力する通過サブキャリア選択信号出力手段と、
上記通過サブキャリア選択出力手段から出力された複素正弦波信号と、入力信号群との乗算を行う乗算手段と、
上記乗算手段における乗算結果のうち、特定の信号群を選択する少なくとも１段の信号成分分離手段と、
上記信号成分分離装置の出力を周波数軸上に並べ替えるシンボル並べ替え手段と
を具備する、
請求項２４記載の受信装置。
【請求項２７】
複数チャネルのサブキャリアが周期的に配置されているマルチキャリア変調による多重通信に用いる受信装置であって、
マルチキャリア変調された信号群を受信する受信手段と、
上記受信手段で受信したマルチキャリア変調された信号群のうち偶数キャリアの信号群を選択して出力する第１のフィルタ装置と、
上記受信手段で受信したマルチキャリア変調された信号群のうち奇数キャリアの信号群を選択して出力する第２のフィルタ装置と、
上記第２のフィルタ装置の出力信号群を保持するバッファ手段と、
上記第１のフィルタ装置の出力信号群をスイッチングするスイッチング手段と、
上記スイッチング手段の後段に接続され、スイッチングされた出力信号について直交変換を行う直交変換手段と、
上記直交変換した信号を復号する復号手段と
を具備し、
上記スイッチング手段は上記第１のフィルタ装置の出力信号を上記直交変換手段に送出し、上記直交変換手段への信号送出終了後、上記バッファ手段に保持した信号群を上記スイッチング手段を介して上記直交変換手段に送出する、
受信装置。
【請求項２８】
上記第１および第２のフィルタ装置はそれぞれ、
入力信号群をＮ／２(m+1) 遅延するシンボル遅延手段と、入力信号群を−π（ｋ／２m ）ラジアン位相シフトする位相オフセット調整手段と、上記シンボル遅延手段の出力信号と上記位相オフセット調整手段の出力信号を加算して上記信号選択出力手段に入力された多重化信号のうち周波数軸上交互に位置する一方のシンボル列を算出する加算手段と、上記シンボル遅延手段の出力信号から上記位相オフセット調整手段の出力信号を減算して上記信号選択出力手段に入力された多重化信号のうち周波数軸上交互に位置する他方のシンボル列を算出する減算手段と、からなる二分岐回路が二分岐方式で段階的かつ階層的に接続されている信号成分分離装置と、
ただし、ｍは二分岐回路の段数の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
上記信号成分分離装置で分離したシンボル列のうち、特定のサブキャリアのシンボル群を選択して出力する信号選択手段と、
上記信号選択手段で選択出力したシンボル群について周波数オフセット補償する周波数オフセット補償手段と
を具備する、
請求項２７記載の受信装置。
【請求項２９】
複数チャネルの情報を独立に符号化し、
上記符号化した情報をそれぞれ所定の変調方式に基づいて変調して信号点配置を行い、
上記複数の信号点配置した信号を時間周期的に多重化し、
上記多重化した信号を逆直交変換し、
上記直交変換した情報を送出する
符号化送信工程と、
上記送出された信号を受信し、
上記受信した直交変換処理後の多重化信号のうち、希望するチャネルの信号のみ選択出力し、
上記選択出力された信号を直交変換し、
上記直交変換した情報を復号する
受信復号工程と
を有する通信方法であって、
上記受信工程における信号選択処理は、
Ｎ／２(m+1) シンボル遅延し、
π（ｋ／２m ）ラジアンだけ位相シフトし、
上記シンボル遅延した信号と上記位相シフトした信号を加算して上記入力された多重化信号のうち周波数軸上交互に位置する一方のシンボル列を算出するか、上記シンボル遅延した信号から上記位相シフトした信号を減算して上記入力された多重化信号のうち周波数軸上交互に位置する他方のシンボル列を算出する
方法を二分岐的かつ段階的に行う
ただし、ｍは二分岐処理の段の位置を示すパラメータであり、
Ｎは１変調時間内に存在するシンボルの数であり、
ｋは０（Ｈｚ）を基準としてサブキャリアの周波数オフセット
を持つ信号群が入力されていることを示すパラメータである、
通信方法。
【手続補正２】
【補正対象書類名】明細書
【補正対象項目名】００４８
【補正方法】削除
【補正の内容】